(57)【要約】【課題】  本発明の課題は、ストレージ管理サーバによるストレージシステムの管理や制御のために、GUI(グラフィカルインタフェース)を備えた端末装置を使用する場合、構成情報の表示要求を発してから、所望の構成情報を取得して、表示を完了するまでの時間（応答時間）が長い。【解決手段】  ストレージ管理サーバは、ストレージ管理端末から発行され、ストレージ管理サーバの処理を実行するための第１の要求と、ストレージ装置とストレージ管理サーバとの間における前記ストレージ装置の構成情報の通信を含む処理を実行する第２の要求と、を受け付け、第1の要求に対して、ストレージ管理端末への応答をする前に、第２の要求に対する処理を開始する。【選択図】図１
2005149336.tif 000002
【特許請求の範囲】
【請求項１】
ストレージ装置とストレージ管理端末と接続されるストレージ管理サーバの処理方法であって、
該ストレージ管理サーバは、前記ストレージ管理端末から発行され、該ストレージ管理サーバの処理を実行するための第１の要求と前記ストレージ装置と該ストレージ管理サーバとの間における前記ストレージ装置の構成情報の通信を含む処理を実行する第２の要求とを受け付け、
該ストレージ管理サーバは、前記第1の要求に対して、前記ストレージ管理端末へ応答する前に、前記第２の要求に対する処理を開始することを特徴とするストレージ管理サーバの処理方法。
【請求項２】
請求項１記載のストレージ管理サーバの処理方法であって、
前記第１の要求が、前記ストレージ管理端末から該ストレージ管理サーバへのログイン要求であることを特徴とするストレージ管理サーバの処理方法。
【請求項３】
ストレージ装置とストレージ管理端末と接続されるストレージ管理サーバであって、                  
該ストレージ管理サーバは、前記ストレージ管理端末からの第１の要求に応答して実行する第１の処理と、前記ストレージ管理端末からの第２の要求に応答して実行する前記ストレージ装置と該ストレージ管理サーバとの間における前記ストレージ装置の構成情報の通信を含む処理を実行する第２の処理とを備え、
該ストレージ管理サーバは、前記第１の処理に伴って、前記ストレージ管理端末へ応答する前に、前記第２の処理を開始することを特徴とするストレージ管理サーバ。
【請求項４】
請求項３記載のストレージ管理サーバであって、
前記第１の処理が、前記ストレージ装置の構成情報を操作するマネージャプログラムのダウンロードであることを特徴とするストレージ管理サーバ。
【請求項５】
ストレージ装置と接続するストレージ管理サーバに接続されるストレージ管理端末の処理方法であって、                  
前記ストレージ管理サーバに対して、前記ストレージ管理サーバの処理を実行するための第１の要求と、前記ストレージ装置と前記ストレージ管理サーバとの間における前記ストレージ装置の構成情報の通信を含む処理を実行する第２の要求とを、
前記第１の要求に伴って、前記ストレージ管理サーバからの応答がある前に、前記第２の要求をすることを特徴とするストレージ管理端末の処理方法。
【請求項６】
請求項５記載のストレージ管理端末の処理方法であって、
前記第１の要求がログイン要求であることを特徴とするストレージ管理端末の処理方法。
【請求項７】
ストレージ装置と接続するストレージ管理サーバに接続されるストレージ管理端末であって、                  
該ストレージ管理端末は、前記ストレージ管理サーバへの第１の要求と、前記ストレージ管理サーバへの第２の要求に応答して実行する前記ストレージ装置と前記ストレージ管理サーバとの間における前記ストレージ装置の構成情報の通信を含む処理を実行する第２の要求と、をする送信処理を備え、
前記第１の要求に伴って、前記ストレージ管理サーバからの応答がある前に、前記第２の送信処理を行うことを特徴とするストレージ管理端末。
【請求項８】
請求項７記載のストレージ管理端末であって、
前記第１の要求がログイン要求であることを特徴とするストレージ管理端末。
【請求項９】
ストレージ装置と接続されるストレージ管理サーバと、該ストレージ管理サーバと接続されるストレージ管理端末からなるストレージ管理システムの処理方法であって、
前記ストレージ管理端末は、該ストレージ管理サーバの処理を実行するための第１の要求と、前記ストレージ装置と前記ストレージ管理サーバとの間における前記ストレージ装置の構成情報の通信を含む処理を実行する第２の要求と、を前記ストレージ管理サーバへ発行し、第１および第２の要求を受け付けた前記ストレージ管理サーバは、前記第１の要求に対して前記ストレージ管理端末へ応答する前に、前記第２の要求に対する処理を開始することを特徴とするストレージ管理システムの処理方法。
【請求項１０】
請求項９記載のストレージ管理システムの処理方法であって、
前記第１の要求がログイン要求であることを特徴とするストレージ管理システムの処理方法。
【請求項１１】
ストレージ装置と接続されるストレージ管理サーバと、該ストレージ管理サーバと接続されるストレージ管理端末からなるストレージ管理システムであって、                  
前記ストレージ管理端末は、前記ストレージ管理サーバへの第１の要求と、前記ストレージ装置と前記ストレージ管理サーバとの間における前記ストレージ装置の構成情報の通信を含む処理を前記ストレージ管理サーバが実行する第２の要求と、をする送信処理を備え、
前記ストレージ管理サーバは、前記ストレージ管理端末からの第１の要求に応答して実行する第１の処理と、前記ストレージ管理端末からの第２の要求に応答して実行する前記ストレージ装置と該ストレージ管理サーバとの間における前記ストレージ装置の構成情報の通信を含む処理を実行する第２の処理とを備え、
前記ストレージ管理端末からの第１の要求に対する前記第１の処理に伴って、前記ストレージ管理サーバが前記ストレージ管理端末へ応答する前に、前記ストレージ管理端末からの第２の要求に対する前記第２の処理を開始することを特徴とするストレージ管理システム。
【請求項１２】
請求項１１記載のストレージ管理システムであって、
前記第１の要求がログイン要求であり、前記第１の処理が、前記ストレージ装置の構成情報を操作するマネージャプログラムのダウンロードであることを特徴とするストレージ管理システム。
【発明の詳細な説明】
【技術分野】
【０００１】
本発明はストレージシステムの管理方法及びその方法に関し、特にストレージシステム・ストレージ管理サーバ間での構成情報の転送方法に関する。
【背景技術】
【０００２】
ストレージシステムの構成情報の管理や制御のために、特開平２００３−１０８４２０（特許文献１）に示されているように、ストレージシステムにLAN（ローカルエリアネットワーク）を介して、ストレージ管理サーバが接続されている。ストレージシステムの管理や制御は、その構成情報をストレージ管理サーバから参照、変更することにより実行される。
【０００３】
ストレージ管理サーバによる制御の容易化のために、ストレージシステムの容量やパスの設定情報など、ストレージ管理サーバから設定変更する情報だけでなく、ストレージシステムの性能情報や故障情報のようにストレージシステム独自に更新される情報もある。したがって、ストレージ管理サーバに格納している構成情報は、ストレージシステムの構成情報と必ずしも同じではない。
【０００４】
そこで、ストレージ管理サーバに格納している構成情報の更新が必要となり、技術文献１では、システム管理者からの構成情報所得要求に基づいて、ストレージシステムからストレージ管理サーバへの構成情報を転送している。
【０００５】
特開２００３−１０８４１２（特許文献２）には、ストレージシステムの構成情報の変化に応答して、ストレージシステムの構成情報の内、更新された更新情報だけをストレージシステムからストレージ管理サーバに転送する技術が開示されている。
【０００６】
【特許文献１】特開２００３−１０８４２０号公報
【０００７】
【特許文献２】特開２００３−１０８４１２号公報
【発明の開示】
【発明が解決しようとする課題】
【０００８】
ストレージ管理サーバによるストレージシステムの管理や制御のために、GUI(グラフィカルインタフェース)を備えた端末装置がストレージ管理サーバに接続される。端末装置を使用する管理者から見ると、構成情報の表示要求を発してから、所望の構成情報の表示完了までの時間（応答時間）の長さが、操作性の点で課題になる。
【０００９】
この課題は、構成情報の量、より具体的にはストレージ管理サーバ内に格納してある構成情報の更新すべき量に依存する。すなわち、ストレージシステムからストレージ管理サーバへの、構成情報の転送時間が端末装置の応答時間に影響を与えてしまうのである。特許文献１では、このような課題には配慮されていない。特許文献２では、ストレージシステム内で構成情報の更新が発生したのを契機に、更新された構成情報のみをストレージ管理サーバに転送する技術が開示され、転送時間の短縮が意図されている。しかし、構成情報にはストレージシステムの性能情報のように時々刻々と変化する情報も含まれている。このように時々刻々と変化する情報に関しては、特許文献２では、配慮されておらず、特許文献２開示の技術を適用すると、ストレージシステムからのストレージ管理サーバへの構成情報が連続的に転送されることになる。
【００１０】
ストレージシステム内の構成情報を転送するプロセッサは他の処理にも供され、ストレージシステムとストレージ管理サーバとの間のＬＡＮも他の情報転送に供されることが一般的であり、システム全体の性能を劣化することになる。
【００１１】
本発明の目的は、端末装置の使用者にとって構成情報表示に関わる速度の向上を図ることにある。
【課題を解決するための手段】
【００１２】
上述の目的を達成するために、本発明の一形態は、以下の構成を有する。
【００１３】
本発明のストレージ管理サーバの処理方法は、ストレージ管理端末から発行され、ストレージ管理サーバの処理を実行するための第１の要求と、ストレージ装置とストレージ管理サーバとの間におけるストレージ装置の構成情報の通信を含む処理を実行する第２の要求と、を受け付け、この第１の要求に対して、ストレージ管理端末への応答をする前に、第２の要求に対する処理を開始するものである。
【００１４】
例えば、第１の要求とは、ストレージ管理端末を操作して行うログイン要求であり、第２の要求とは、構成情報の送信要求である。明細書に示す一例では、ログイン要求に対するストレージ管理サーバの処理であるマネージャプログラムのダウンロードをする前に、必要な場合はストレージに対して構成情報の送信要求を発行するものである。
【発明の効果】
【００１５】
本発明によれば、ストレージ管理端末を操作し画面上で第１の要求と共に第２の要求をし、ストレージ管理サーバに対して送信を行うことを可能となる。これにより、ストレージ管理サーバが、第１の要求に対する処理を開始する前に、第２の要求に対して、必要な場合に構成情報の通信を含む処理を実行しておくことで、第１の要求に対する処理が完了してから第２の要求に対する処理の結果をストレージ管理端末に表示するまでの時間（応答時間）を短縮することがで
【発明を実施するための最良の形態】
【００１６】
本発明の実施形態を図を参照しながら以下説明する。図１は、ストレージ管理システムの構成図である。図１において、ストレージ３０、３１、・・・（以下、３０）とホストコンピュータ４０、４１、・・・（以下、４０）が接続されているＳＡＮ（Ｓｔｏｒａｇｅ  Ａｒｅａ  Ｎｅｔｗｏｒｋ）環境下において、ストレージ３０、３１、・・・（以下、３０）はストレージ管理サーバ２０に接続されている。ストレージ管理サーバ２０には複数のストレージ管理専用端末１０、１１、・・・（以下、１０）がＬＡＮ−ａ（Ｌｏｃａｌ  Ａｒｅａ  Ｎｅｔｗｏｒｋ）を介して接続されている。ストレージ管理端末１０は、ストレージ管理サーバ２０を通して、構成情報の参照、設定、変更等の操作のためにある。ストレージ３０、３１内の構成情報３１０、３１１、・・・（以下、３１０）はストレージ３０、３１各々の構成情報である。ストレージ管理サーバ２０には、構成情報３１０と構成情報３１１が共に構成情報２１０として格納されている。ストレージ管理サーバ２０に格納している構成情報２１０は、ストレージ３０、３１の構成情報３１０、３１１、・・・と必ずしも同じではない。この点については後述する。
【００１７】
ストレージ管理サーバ２２０には、ストレージ３０の構成情報３１０を操作するためのマネージャプログラム２２０が保管されている。マネージャプログラム２２０は、ストレージ管理端末１０で動作する端末用のマネージャプログラムとストレージ管理サーバ２０で動作するストレージ管理サーバ用のマネージャプログラムとを含む。端末用のマネージャプログラムは、ストレージ管理端末１０からのダウンロード要求に応じて、ストレージ管理サーバ２０からストレージ管理端末１０にＬＡＮ−aを介してダウンロードされる。上記のような構成で、ストレージ管理者は、ストレージ管理端末１０を操作して、構成情報３１０の参照や変更を実行する。
【００１８】
図２は、構成情報の一例を示したものである。ストレージ３０およびストレージ管理サーバ２０内には、構成情報３１０、２１０が格納されていて、その構成情報３１０，２１０には、ボリューム情報５１０等、ストレージ管理サーバ２０から設定変更する情報だけでなく、ストレージシステム３０で独自に更新される故障情報５２０、性能情報５３０等がある。
【００１９】
図３は、ストレージ管理端末１０のログイン及び構成情報入力送信のための画面１００（以下、初期画面という）の一例である。ストレージ管理端末１０を立ち上げると、ログイン入力部１０２と構成情報入力部１０１が表示され、ユーザ名やパスワードの入力と共に、参照や変更するべき構成情報の特定が要求される。構成情報入力部１０１には、アドレスＡの右の□欄に管理者によってチェックがされた状態を示している。このようにストレージ管理者は必要とする構成情報を特定し、ストレージ管理サーバ２０に対して、構成情報の表示を要求する。構成情報の特定のためには、構成情報の名称等を直接入力させるような欄を設けてもよい。
【００２０】
図４は、構成情報表示画面１０５を表している。１０７は、構成情報表示部で、管理者が構成情報としてボリューム情報を要求したときの表示である。１０６は、１０１と同じく、構成情報入力部であり、さらに他の構成情報を管理者が参照したい場合に、参照を希望する項目欄の□にチェックを施す。例えば、図４の構成情報表示部１０７に表示されているボリューム情報の参照、設定、変更等の後に、新たな構成情報を参照する場合には、この構成情報入力部１０６の所望の箇所にチェックを入力し送信する。
【００２１】
図５は、ストレージシステム３０にある構成情報３１０をストレージ管理端末１０に表示させるまでのフローチャートである。ストレージ管理端末１０から、ストレージ管理サーバ２０にストレージ管理端末１０用のマネージャプログラムのダウンロード要求をする（１１０）。ストレージ管理サーバ２０から初期画面１００が送信１１５される。
【００２２】
ストレージ管理者は、ストレージ管理端末１０上に表示された初期画面１００のログイン入力部１０２を介してユーザ名とパスワードを入力し、さらに構成情報入力部１０１を介して表示を所望する構成情報の項目を特定して、ストレージ管理サーバ２０に送信する（１２０）。ストレージ管理サーバ２０は、構成情報入力部１０１に入力された情報を受領して、ストレージ３０に対してストレージの構成情報３１０の送信を要求する（１２５）。
【００２３】
次に、ストレージ管理サーバ２０は、ストレージ管理端末１０に対してログイン許可を発行する（１３０）。ログイン許可のあと、ストレージ管理サーバはマネージャプログラムのダウンロードを開始する（１４０）。
【００２４】
さらに、ストレージ管理サーバは、ストレージ３０から送信（１３５）された構成情報３１０をストレージ管理端末１０に送信する（１４５）。ストレージ管理端末１０ではダウンロードしたマネージャプログラムを起動する（１５０）。マネージャプログラムは、ストレージの構成情報を参照および設定可能なプログラムで、Ｊａｖａ（Ｊａｖａは登録商標です）のアプレットで作成されており、ＷＷＷブラウザ上で動作が可能である。マネージャプログラムは、ストレージ管理サーバ内に保管され、ストレージ管理サーバを通してストレージ管理端末に配信される。
【００２５】
マネージャプログラムが起動するとストレージ管理端末上１０に構成情報表示・操作画面１０５が表示され、ストレージ管理者の操作が可能となる。
【００２６】
画面にはログイン時に初期画面１００の構成情報入力部１０１で指定した構成情報が、構成情報表示部１０７として表示される。この構成情報表示部１０７には、新たな構成情報指定のための構成情報入力部１０６も表示される。取得した構成情報の参照、設定または変更する場合は、画面１０５上の構成情報表示部１０７を介して行い、操作入力をし、ストレージ管理サーバ２０に送信される（１５５）。ストレージ管理サーバ２０は、その操作入力された情報を受信し、さらにストレージ３０に送信する（１６０）。
【００２７】
図６は、図５の流れを分かりやすく説明したものである。ストレージ管理端末１０の画面１００を介して入力されたログイン情報と必要な構成情報の指定がストレージ管理サーバ２０に送信される（１２０）と、ストレージ管理サーバ２０は、ログイン許可に関する判定処理をすると共に、ストレージ管理端末１０用のマネージャプログラムをダウンロードする（１４０）。ストレージ管理サーバ２０はストレージ３０の構成情報３１０の送信を要求する命令（１２５）をストレージ３０に対して発行し、ストレージ３０から所望の構成情報を取得する（１３５）。そして、ストレージ３０の構成情報３１０をストレージ管理サーバ２０内の構成情報２１０として格納する。さらにストレージ管理サーバ２０は、ストレージ管理端末１０に取得した構成情報を送信する（１４５）。
【００２８】
一方、ストレージ管理端末１０はダウンロードしたマネージャプログラムを起動し（１５０）、ストレージ管理サーバ２０から受信した構成情報を構成情報表示・操作画面１０５の構成情報表示部１０７に表示する。
【００２９】
以上のように、ストレージ管理端末１０を操作する管理者が構成情報の参照、設定等ができるマネージャプログラムをダウンロードする前に、１０１に示すような構成情報入力部を設けてある。これにより、マネージャプログラムをダウンロードしている間に、ストレージ管理サーバ２０はストレージ管理者が指定した構成情報３１０を取得しておくことができる。したがって、マネージャプログラムが起動してから、取得した構成情報をストレージ管理端末に表示するまでの時間（応答時間）を短縮できる。
【００３０】
図７を用いて、ストレージ管理端末１０の処理を説明する。ストレージ管理端末１０はストレージ管理サーバ２０に対して、ストレージ管理サーバ２０内に格納されているストレージ管理端末１０用のマネージャプログラム２２０のダウンロード要求をする（ステップ６００）。ダウンロード要求はマネージャプログラムのＵＲＬを指定することによりなされる。ストレージ管理端末１０には、初期画面１００が表示（ステップ６１０）され、管理者はログイン情報や必要な構成情報を特定するための入力ができる。
【００３１】
ここで、管理者が必要な構成情報を指定するための入力部である構成情報入力部１０１は、本来マネージャプログラムの一部であるが、本願発明において、その一部をログイン入力部表示のタイミングで表示する。換言すれば、本来ログイン後、認証が完了されてから配信されるマネージャプログラムを認証完了前に送信するということである。このことにより、時間のかかる構成情報の取得を、早い段階でストレージ管理サーバがストレージ装置に対して行うことができる。
【００３２】
ところで、前述の通りマネージャプログラムは、構成情報の変更や設定に関わるものであるから、認証されていない管理者によって実行されるべきではない。
【００３３】
そこで、本願発明では、管理者が表示を所望する構成情報の指定だけを先行して入力出来るようにして、取得動作を早める一方で、本当に変更を可能とするプログラム部分については認証後にダウンロードがされるように設定されるのである。初期画面１００に、入力されたログイン情報および構成情報の指定は、ストレージ管理サーバ２０に送信（ステップ６２０）される。ストレージ管理サーバ２０から認証結果受信（ステップ６３０）、認証結果をチェックする（ステップ６４０）。チェックの結果、認証されない場合は処理を終了する。一方、チェック結果がOKの場合は、マネージャプログラム２２０がダウンロードされ、起動される（ステップ６５０）。マネージャプログラム２２０はステップ６６０〜７００を実行する。
【００３４】
ストレージ管理端末１０には、ステップ６１０で要求した構成情報が構成情報表示部１０７に表示されるとともに、構成情報入力部１０６が表示される。構成情報入力部１０６に対して構成情報の参照、設定、変更、削除及び終了の操作入力が許される（ステップ６７０）。操作入力にしたがって、参照処理６８０、設定処理６９０、変更処理７００、削除処理７１０が実行され、新たな構成情報画面１０５が表示される（ステップ６６０）。
【００３５】
図８は、図７における処理の一例として参照処理６８０のフローチャートを示したものである。新たに参照する構成情報を、ストレージ管理端末１０の構成情報入力部１０６に入力し（ステップ６８２）、ストレージ管理サーバ２０に対して構成情報参照を要求する（ステップ６８４）。要求した構成情報の受信が完了すると（ステップ６８６）ステップ６６０に分岐する。
【００３６】
図９では、図７における変更処理７００のフローチャートを示したものである。ストレージ管理端末１０の構成情報表示部１０７に表示されている構成情報を変更すると（ステップ７０２）共に新たな構成情報を要求入力し（ステップ７０４）、変更構成情報をストレージ管理サーバ２０へ送信する（ステップ７０６）。構成情報変更に伴って変更した構成情報の確認画面を受信する（ステップ７０８）。このように、ストレージ管理端末１０上の構成情報入力部１０６には、新たな構成情報の入力し、指定することができる。
【００３７】
図１０はストレージ管理サーバ２０の処理を示したものである。ストレージ管理サーバ２０は、ストレージ管理端末１０からマネージャプログラムのダウンロード要求を受けて、ストレージ管理端末１０に対して、初期画面１００を送信する（ステップ８００）。ストレージ管理端末１０からユーザ名及びパスワードを受信し（ステップ８０５）し、ストレージ管理端末１０から構成情報参照を要求されている場合は（ステップ８１０）、ストレージ３０へ構成情報の送信を要求する（ステップ８２０）。ユーザ名とパスワードのチェックによる認証がＯＫである場合（ステップ８２５）、マネージャプログラムをダウンロードする（ステップ８３０）。ストレージ３０から構成情報の受信が完了したら（ステップ８３５）、ストレージ管理端末１０からの操作指示を待つ（ステップ８４０）。
【００３８】
操作指示には、構成情報の参照８４５や設定８７０、変更８８０、削除８８５がある。参照の指示がされた場合、ストレージ３０に対して構成情報の要求が必要であるときには（ステップ８４５）、ストレージ３０に構成情報の送信を要求し（ステップ８５０）、受信完了になるのを待つ（ステップ８５５）。受信が完了したら、ストレージ管理サーバ２０に格納してある構成情報２１０をストレージ管理端末１０へ送信する（ステップ８６０）。操作指示が設定、変更及び削除のいずれかの場合、その指示に応じて、ストレージ３０に対してステップ８７０、８８０、及び８８５のいずれかを実行する。ストレージ３０へ操作結果を示す構成情報を要求し（ステップ８９０）、受信したら（ステップ９００）、ストレージ管理端末１０へ操作結果である構成情報を送信する（ステップ９０５）。ストレージ管理端末１０より新規な構成情報の送信要求がある場合には（ステップ９１０）、ストレージ３０へ構成情報の送信を要求する（ステップ９１５）。このように、ストレージ管理サーバ２０がストレージ管理端末１０に対応する際に新たな構成情報の参照の要求がある場合、その処理も併せて実行する。
【００３９】
図１１は、図１０における変更処理８８０を示す。ストレージ管理サーバ２０がストレージ管理端末１０から変更構成情報を受信したら（ステップ８８２）、その変更をストレージ３０の構成情報３１０に反映させるため、ストレージ３０へ構成情報を送信する（ステップ８８４）。
【００４０】
本実施例の説明においては、マネージャプログラムの一部として、初期画面１００の表示、機能を説明した。これらのプログラムは、マネージャプログラムとして一括して取り扱われる必要なく、機能的に分別された独立したプログラムで構成してもよい。また、初期画面１００の表示のためのプログラムはあらかじめストレージ管理端末にインストールしておいても良い。管理者が入力した構成情報の取得のための処理がログイン認証中であっても、ストレージ管理サーバで実行されていれば足りる。
【００４１】
以上、発明を実施の形態に基づき具体的に説明したが、本発明は前記実施の形態に限定されるものでなく、その要旨を逸脱しない範囲で種々変更可能であることは言うまでもない。
【図面の簡単な説明】
【００４２】
【図１】ストレージ管理システムの構成図である。
【図２】構成情報の一例を示したものである。
【図３】ストレージ管理端末のログイン及び構成情報入力送信のための画面の一例を示した図である。
【図４】構成情報表示画面を表した図である。
【図５】ストレージシステムにある構成情報をストレージ管理端末に表示させるまでのフローチャートを示した図である。
【図６】図５の流れを分かりやすく説明した図である。
【図７】ストレージ管理端末の処理を説明する図である。
【図８】図７における処理の一例として参照処理のフローチャートを示した図である。
【図９】図７における変更処理のフローチャートを示した図である。
【図１０】ストレージ管理サーバの処理を示す図である。
【図１１】図１０における変更処理を示す図である。
【符号の説明】
【００４３】
１０、１１  ストレージ管理端末
２０        ストレージ管理サーバ
３０、３１  ストレージ
４０、４１  ホストコンピュータ
１００      ストレージ管理端末のログイン及び構成情報入力送信のための画面
１０１      構成情報入力画面
１０２      ログイン画面
１０５      構成情報表示画面
５１０      ボリューム情報
５２０      故障情報
５３０      性能情報
【図１】
2005149336.tif 000003
【図２】
2005149336.tif 000004
【図３】
2005149336.tif 000005
【図４】
2005149336.tif 000006
【図５】
2005149336.tif 000007
【図６】
2005149336.tif 000008
【図７】
2005149336.tif 000009
【図８】
2005149336.tif 000010
【図９】
2005149336.tif 000011
【図１０】
2005149336.tif 000012
【図１１】
2005149336.tif 000013